【手続補正書】
【提出日】平成28年11月7日(2016.11.7)
【手続補正１】
【補正対象書類名】特許請求の範囲
【補正対象項目名】全文
【補正方法】変更
【補正の内容】
【特許請求の範囲】
【請求項１】
パンチ成形及びプレス成形機械に対する動作に関する情報を伝達するシステムであって、
パンチ成形またはプレス成形機械と、
機械上に選択的に位置決めされて使用されるべく構成された表示デバイス(12)であって、該表示デバイスはタッチスクリーン機能性を有する一個以上のディスプレイ(24)を有し、前記一個以上のディスプレイは量的及び質的な情報を呈示すべく構成され、該量的及び質的な情報は、前記機械及びそれに対する各工具(18)に対してプログラムされた一つ以上の動作を包含する詳細及び特性を含み、該詳細及び特性は、各工具の適切な位置及びロック状況とともに、前記機械及び各工具の表現物を含むという表示デバイス(12)と、
前記表示デバイスから遠隔的に配置された操作卓(36)であって、前記量的及び質的な情報は該操作卓を介して前記表示デバイスに対して提供される、という操作卓(36)と、
を備え、
前記機械及び工具に対する前記プログラムされた一つ以上の動作は変更可能であり、該変更は、一つ以上の外部的合図を介してトリガされ、
前記外部的合図は、操作者に由来し、前記ディスプレイの内の一つ以上のディスプレイに対して為される指接触を含む、システム。
【請求項２】
前記パンチ成形またはプレス成形機械はプレスブレーキ(10)を備える、請求項１に記載のシステム。
【請求項３】
前記表示デバイス(12)は、前記操作卓(36)と無線通信すべく構成され、
前記量的及び質的な情報は、前記操作卓のメモリ内に記憶された機械に対するプログラムされた動作に由来する、請求項１に記載のシステム。
【請求項４】
前記操作卓(36)はディスプレイ・タブレット(22)を備え、
前記ディスプレイ・タブレットは、該タブレットが、操作者により容易に担持されること、及び、前記機械上に選択的に取付けて位置決めされること、の内の一つ以上を可能とするサイズである、請求項１に記載のシステム。
【請求項５】
前記機械及びそれのための工具に対する前記プログラムされた一つ以上の動作に関する付加的情報は、前記ディスプレイ(24)の内の一つ以上のディスプレイの画面上で為され対応指接触を介してアクセスされ得る、請求項１に記載のシステム。
【請求項６】
前記外部的合図はさらに、前記工具(18)の内の一つ以上の工具に由来する、請求項１に記載のシステム。
【請求項７】
前記外部的合図は、一つ以上の工具上に配備された電子的情報記憶デバイスに由来する、請求項６に記載のシステム。
【請求項８】
前記外部的合図はさらに、前記プレスブレーキ(10)に対する作業領域の周縁部に沿う箇所に取付けられる一台以上のカメラと上側及び下側のテーブル(14)の内の一つ以上のテーブルの近傍に取付けられる一台以上の３Ｄカメラ(44)との少なくともいずれか一方に由来する、請求項２に記載のシステム。
【請求項９】
前記カメラからの外部的合図は、前記プレスブレーキの変形領域の近傍の不適切さであって、各カメラの内の少なくとも一台のカメラにより捕捉されたという不適切さに由来する、請求項８に記載のシステム。
【請求項１０】
前記外部的合図は、各カメラの内の少なくとも一台のカメラにより捕捉された操作者の指の仕草に由来する、請求項８に記載のシステム。
【請求項１１】
前記パンチ成形またはプレス成形機械は、プレスブレーキ(10)を備え、
前記一個以上のディスプレイ(24)は、前記プレスブレーキの上側及び下側のテーブル(14a,14b)の広がりと長さが同様である広がりを有し、
前記一個以上のディスプレイは、前記上側及び下側のテーブルのいずれかの奥行より少なくとも1/4だけ小さい奥行を有する、
請求項１に記載のシステム。
【請求項１２】
前記表示デバイス(12)は、前記プレスブレーキ(10)の上側及び下側のテーブル(14a,14b)の一方内に完全に収容され、前記プレスブレーキ(10)の上側及び下側のテーブル(14a,14b)の一方と面一に収容される、請求項１１に記載のシステム。
【請求項１３】
前記パンチ成形またはプレス成形機械は、プレスブレーキ(10)を備え、
前記一個以上のディスプレイ(24)は、複数個のディスプレイを備え、
各ディスプレイは、端部同士を接した様式で結合されると共に、前記プレスブレーキの上側及び下側のテーブル(14a,14b)の広がりと長さが同様である広がりを有し、
各ディスプレイは、前記上側及び下側のテーブル上の各締着ビーム(16)の広がりであって、各ビームに対する当該各ディスプレイの位置に対応するという広がりを、集合的に呈するために、電気的に関連付けられ且つ同期され得る、
請求項１に記載のシステム。
【請求項１４】
前記一個以上のディスプレイ(24)は、タッチスクリーンの機能性を有する電子インク形式ディスプレイを含む、請求項１３に記載のシステム。
【請求項１５】
前記各ディスプレイ(24)は、前記プレスブレーキ(10)の上側及び下側の締着ビーム(16a,16b)と、それらの上に位置決めされるべき成形工具(18)とに関する情報を呈示すべく構成され、
該情報は、各ビーム及び各工具に対する量的及び質的な情報を含む、請求項１４に記載のシステム。
【請求項１６】
前記各締着ビーム(16a,16b)及び各成形工具(18)の前記質的情報は、各々の対応表現物及び締着状況の一つ以上の情報を含み、前記各成形工具の質的情報は、部品番号及び部品製造者の一つ以上の情報を含む、請求項１５に記載のシステム。
【請求項１７】
前記上側及び下側の締着ビーム(16)及び各成形工具(18)の前記量的情報は、それらの寸法と、前記上側及び下側の締着ビーム上の各成形工具に対する適切な位置とを含む、請求項１５に記載のシステム。
【請求項１８】
前記パンチ成形またはプレス成形機械は、プレスブレーキ(10)を備え、
前記一個以上のディスプレイは、複数個のディスプレイと複数個のセグメント(20)とを含み、
前記一個以上のディスプレイの少なくとも一個のディスプレイは、前記セグメントの各々内に収容され、
各セグメントは、端部同士を接した様式で結合されると共に、前記プレスブレーキの上側及び下側のテーブル(14)の広がりと長さが同様である広がりを有し、
結合された各セグメントは、モジュール式アセンブリを形成する、
請求項１に記載のシステム。
【請求項１９】
複数の変形動作を包含する曲げ動作の間における、請求項２のプレスブレーキの表示デバイスのための方法であって、
前記表示デバイスの一個以上のディスプレイ上に工具設定を呈示する段階であって、前記工具設定は前記表示デバイスにより受信された特定の曲げプログラムに対応し、呈示された工具設定は、前記プレスブレーキの上側及び下側のテーブルと、前記曲げプログラムのために各テーブル上で使用されるべき成形工具とに対する量的及び質的な情報を含み、前記質的情報は前記上側及び下側のテーブル及び前記成形工具の対応表現物を含み、前記量的情報は前記上側及び下側のテーブル上の各工具の適切な位置を含む、という段階と、
第1被加工材に対する特定の曲げプログラムの第1変形動作に対し、該第1変形動作に関連付けられた工具表現物を強調し、且つ、前記第1変形動作に関連付けられない工具表現物を強調解除する段階と、
第1被加工材に対する特定の曲げプログラムの第2変形動作に対し、前記第1変形動作に関連付けられた工具表現物を強調解除し、且つ、該第2変形動作に関連付けられた工具表現物を強調する段階と、
前記第1被加工材に対する特定の曲げプログラムの一切の更なる変形動作に対し、第2変形動作に関する強調解除段階及び強調段階を反復する段階と、
前記曲げプログラムに関して為される一切の更なる被加工材に対する前記第1変形動作、第2変形動作、及び、該当するなら、更なる単一もしくは複数の変形動作に関し、強調段階及び強調解除段階を反復する段階と、
を有する、方法。